(57)【要約】【課題】障子に設けられたラッチ部と当接可能なラッチ受け部を容易に取り付けることができる建具を提供する。【解決手段】建具１００は、上下方向に延びる一対の縦枠１３と、見付け方向に延びる上枠及び下枠と、を有し四方枠状に形成された枠体と、枠体内の上部に配置される上障子と、枠体内の下部に配置される下障子３と、を備えた建具であって、下障子３は、縦枠１３側に向けて付勢されるラッチ部１１０を有し、縦枠１３は、屋外側見付け面４２，４３と、屋外側見付け面４２，４３よりも屋内側に配置される屋内側見付け面５１，５３，５４と、を有し、屋外側見付け面４２，４３と屋内側見付け面５１，５３，５４との間に配置されるとともに、ラッチ部１１０の見付け方向の移動を規制するラッチ受け部６２を備えることを特徴とする。【選択図】図４
2018119344.tif 000002
【特許請求の範囲】
【請求項１】
上下方向に延びる一対の縦枠と、見付け方向に延びる上枠及び下枠と、を有し四方枠状に形成された枠体と、該枠体内の上部に配置される上障子と、前記枠体内の下部に配置される下障子と、を備えた建具であって、
前記下障子は、前記縦枠側に向けて付勢されるラッチ部を有し、
前記縦枠は、屋外側見付け面と、該屋外側見付け面よりも屋内側に配置される屋内側見付け面と、を有し、
前記屋外側見付け面と前記屋内側見付け面との間に配置されるとともに、前記ラッチ部の前記見付け方向の移動を規制するラッチ受け部を備えることを特徴とする建具。
【請求項２】
前記縦枠は、前記屋外側見付け面と前記屋内側見付け面とを結ぶ見込み面を有し、
該見込み面に螺子固定される基部と、該基部から前記下障子側に延びる前記ラッチ受け部と、を有する受け部材を備える請求項１に記載の建具。
【請求項３】
前記受け部材は、前記上障子に固定される固定部を有する請求項１または２に記載の建具。
【請求項４】
前記下障子は、前記縦枠側に延びるロック部を有し、
前記受け部材は、前記ロック部よりも屋内側に配置されるとともに、水平断面で前記ロック部と前記見込み方向に重なった位置に配置されるロック受け部を有する請求項１から３のいずれか一項に記載の建具。
【発明の詳細な説明】
【技術分野】
【０００１】
本発明は、構造物の開口部に設けられる建具に関するものである。
【背景技術】
【０００２】
従来から、構造物の開口部に設置される建具として、開口部に枠体が取り付けられ、枠体内に上障子と下障子とを備え、上障子が固定され、下障子が上下動可能とされつつ、屋内側に傾倒可能なものが知られている（下記特許文献１参照）。下障子には、施錠状態を維持するために、下障子から見付け方向の外側（側方）に延びる摺動棒が設けられている。また、縦枠には、摺動棒が配置される水平断面視コ字状の凹溝が設けられている。
【０００３】
また、上障子を所定の位置に保持するために、上障子の下側の隅部が上障子固定金具を介して縦枠に固定さている場合がある。上障子固定金具は、例えば上障子の下側の隅部に螺子で螺合されるとともに、縦枠の凹溝の底部（見込み面）螺子で螺合されている。
【先行技術文献】
【特許文献】
【０００４】
【特許文献１】特開２０１６−１４２４７号公報
【発明の概要】
【発明が解決しようとする課題】
【０００５】
しかしながら、上記の特許文献１のような建具では、屋内外の圧力差により、障子に屋内側から屋外側への圧力が生じると、障子が屋外側に変位するとともに、枠体の凹溝を形成する屋外側の見付け面が屋外側に変位して、縦枠の凹溝の幅（見込み方向の幅）が大きくなる。このため、障子の端部、特に縦枠側に付勢されているラッチが凹溝内に入り込んでしまい、障子を動かす（開ける）ことができなくなってしまう可能性がある。
【０００６】
また、凹溝の見込み方向の幅が小さいと、凹溝の底部に固定される上障子固定金具が小型化となり、上障子を保持するための十分な強度を確保することができない。その一方で、凹溝の見込み方向の幅が大きいと、ラッチが凹溝内に入り込みやすいという問題点がある。
【０００７】
そこで、本発明は、上記事情に鑑みてなされたものであり、障子のラッチ部が縦枠の凹溝内に嵌ることを抑制することができる建具を提供する。
【課題を解決するための手段】
【０００８】
上記目的を達成するために、本発明は以下の手段を採用している。
すなわち、本発明に係る建具は、上下方向に延びる一対の縦枠と、見付け方向に延びる上枠及び下枠と、を有し四方枠状に形成された枠体と、該枠体内の上部に配置される上障子と、前記枠体内の下部に配置される下障子と、を備えた建具であって、前記下障子は、前記縦枠側に向けて付勢されるラッチ部を有し、前記縦枠は、屋外側見付け面と、該屋外側見付け面よりも屋内側に配置される屋内側見付け面と、を有し、前記屋外側見付け面と前記屋内側見付け面との間に配置されるとともに、前記ラッチ部の前記見付け方向の移動を規制するラッチ受け部を備えることを特徴とする。
【０００９】
このように構成された建具では、縦枠の凹溝を形成する屋外側見付け面と屋内側見付け面との間には、ラッチ受け部が配置されている。このため、屋外側見付け面と屋内側見付け面との間の隙間は、屋外側見付け面とラッチ受け部とにより形成される見込み方向の隙間及びラッチ受け部と屋内側見付け面とにより形成される見込み方向の隙間に分割される。よって、屋外側見付け面とラッチ受け部との見込み方向の離間寸法及びラッチ受け部と屋内側見付け面との見込み方向の離間寸法の方が、下障子の縦枠側に向けて付勢されるラッチ部の見込み方向の寸法よりも、小さくすることができる。したがって、下障子のラッチ部が縦枠の凹溝内に嵌り込むことが抑制される。
【００１０】
また、本発明に係る建具では、前記縦枠は、前記屋外側見付け面と前記屋内側見付け面とを結ぶ見込み面を有し、該見込み面に螺子固定される基部と、該基部から前記下障子側に延びる前記ラッチ受け部と、を有する受け部材を備えることが好ましい。
【００１１】
このように構成された建具では、受け部材は縦枠の凹溝を形成し屋外側見付け面と屋内側見付け面とを結ぶ見込み面に螺子固定される構成であるため、作業者は縦枠の見込み面に沿って受け部材の基部を配置して、見付け方向の内側（見込み面と対向する方向）から螺子止めすることができる。このため、見込み面よりも屋内側に屋内側見付け面等の壁部があっても、当該壁部が邪魔になることなく、見込み面に対して正面から螺子止めすることができるため、受け部材を容易に取り付けることができる。
【００１２】
また、本発明に係る建具では、前記受け部材は、前記上障子に固定される固定部を有することが好ましい。
【００１３】
このように構成された建具では、受け部材は、上障子に固定される固定部を有している。つまり、受け部材は上障子を固定する機能も有しているため、上障子を固定するための部材を別途取り付ける必要がない。
【００１４】
また、本発明に係る建具では、前記下障子は、前記縦枠側に延びるロック部を有し、
前記受け部材は、前記ロック部よりも屋内側に配置されるとともに、水平断面で前記ロック部と前記見込み方向に重なった位置に配置されるロック受け部を有していてもよい。
【００１５】
このように構成された建具では、受け部材は、下障子に設けられ縦枠側に延びるロック部よりも屋内側に配置されるとともに、水平断面でロック部と見込み方向に重なった位置に配置されるロック受け部を有している。これにより、下障子が屋内側に移動しようとしても、下障子に設けられたロック部が受け部材に設けられたロック受け部に見込み方向に干渉するため、下障子の屋内側への移動が規制される。つまり、受け部材は下障子の屋内側への移動を規制する機能も有しているため、下障子の屋内側への移動を規制する部材を別途取り付ける必要がない。
【発明の効果】
【００１６】
本発明に係る建具によれば、障子に設けられたラッチ部と当接可能なラッチ受け部を容易に取り付けることができる。
【図面の簡単な説明】
【００１７】
【図１】本発明の一実施形態に係る上げ下げ窓を屋内側から見た正面図である。
【図２】図１に示す上げ下げ窓のＸ−Ｘ線断面図である。
【図３】図１に示す上げ下げ窓のＹ−Ｙ線断面図である。
【図４】図１に示す上げ下げ窓のＺ−Ｚ線断面図であり、施錠された状態を示す。
【図５】図１に示す上げ下げ窓のＺ−Ｚ線断面図であり、開錠された状態を示す。
【図６】本発明の一実施形態に係る上げ下げ窓の受け部材の斜視図であり、（ａ）屋内側且つ下方から見た図であり、（ｂ）見付け方向の外側且つ上方から見た図である。
【図７】本発明の一実施形態に係る上げ下げ窓の受け部材の分解斜視図である。
【図８】本発明の一実施形態に係る上げ下げ窓の受け部材の取付構成を示す斜視図である。
【図９】本発明の一実施形態の変形例に係る上げ下げ窓の受け部材の斜視図であり、（ａ）屋内側且つ下方から見た図であり、（ｂ）見付け方向の外側且つ上方から見た図である。
【図１０】本発明の一実施形態の変形例に係る上げ下げ窓の受け部材の分解斜視図である。
【図１１】本発明の一実施形態の変形例において、図４に対応する図であり、施錠された状態を示す。
【発明を実施するための形態】
【００１８】
以下、本発明の一実施形態による建築物の開口部に設けられる建具の一例として、上げ下げ窓を図１から図８に基づいて説明する。
図１は、本発明の一実施形態に係る上げ下げ窓を屋内側から見た正面図である。図２は、図１に示す上げ下げ窓のＸ−Ｘ線断面図である。図３は、図１に示す上げ下げ窓のＹ−Ｙ線断面図である。なお、図２において、紙面右側は上障子側の断面を示し、紙面左側は下障子側の断面を示している。
図１から図３に示すように、上げ下げ窓１００は、建築物の開口部に設けられ、四角形枠状に形成された枠体１と、枠体１内の上部に配置された上障子２と、枠体１内の下部に配置された下障子３と、を備えている。上障子２は、枠体１内の上部に固定されている。下障子３は、施錠状態で枠体１内の下部に配置され、開錠状態で上下方向に移動可能である。また、下障子３が上障子２の下方に配置された位置で、上障子２と下障子３戸は見付け方向に沿う同一平面上に配置されている。
なお、以下の説明において、屋外側と屋内側とを結ぶ方向を見込み方向と称する。上障子２及び下障子３の上下方向と交差して上障子２及び下障子３に沿う左右方向を見付け方向と称する。また、見付け方向において、上障子２及び下障子３から離間する方向を外側と称し、上障子２及び下障子３に近接する方向を内側と称する。
【００１９】
枠体１は、水平方向に延在する上枠１１及び下枠１２と、上枠１１の両端部と下枠１２の両端部とをそれぞれ連結し上下方向に延在する縦枠１３と、を有している。
【００２０】
上障子２は、四角形状に形成された上側框体２０と、上側框体２０内に嵌め込まれた例えば上側ペアガラス等の複層ガラス２９と、を有している。
【００２１】
上側框体２０は、水平方向に延在する上側上框２１及び上側下框２２と、上側上框２１の両端部と上側下框２２の両端部とをそれぞれ連結し上下方向に延在する上側縦框２３と、を有している。
【００２２】
上側上框２１、上側下框２２及び上側縦框２３には、複層ガラス２９から離間するように凹む断面視コ字状のガラス保持溝２６が形成されている。複層ガラス２９の四辺の端部は、ガラス保持溝２６内に配置されるとともに、押縁２７によりガラス保持溝２６内で固定されている。
【００２３】
下障子３は、上障子２と同様に、四角形状に形成された下側框体３０と、下側框体３０内に嵌め込まれた例えば下側ペアガラス等の複層ガラス３９と、を有している。
【００２４】
下側框体は、水平方向に延在する下側上框３１及び下側下框３２と、下側上框３１の両端部と下側下框３２の両端部とをそれぞれ連結し上下方向に延在する下側縦框３３と、を有している。
【００２５】
下側上框３１の屋内側には、引手部３４が設けられている。引手部３４を屋内側に引くことにより、下障子３の開閉が可能とされている。
【００２６】
下側上框３１、下側下框３２及び下側縦框３３には、複層ガラス３９から離間するように凹む断面視コ字状のガラス保持溝２６が形成されている。複層ガラス３９の四辺の端部は、ガラス保持溝２６内に配置されるとともに、押縁２７によりガラス保持溝２６内で固定されている。
【００２７】
次に、縦枠１３に固定された受けユニット（受け部材）６について説明する。
受けユニット６は、下障子３の屋内外への移動を規制する機能、及び上障子２を支持する機能を有している。
まず、受けユニット６が固定される縦枠１３について説明する。
図４は、図１に示す上げ下げ窓のＺ−Ｚ線断面図であり、施錠された状態を示す。図５は、図１に示す上げ下げ窓のＺ−Ｚ線断面図であり、開錠された状態を示す。
図４及び図５に示すように、縦枠１３は、見込み方向に沿って配置される見込み面部（見込み面）４１と、見込み面部４１の屋外側の端部から屋外側に向かうにしたがって次第に見付け方向の内側に向かう傾斜面部（屋外側見付け面）４２と、傾斜面部４２の端部から見付け方向の内側に延びる屋外側面部（屋外側見付け面）４３と、を有している。
【００２８】
見込み面部４１には、見付け方向の内側に向かって延びる縦枠係止部４１ａが設けられている。縦枠係止部４１ａには、縦枠アタッチメント５０が係止されている。
【００２９】
縦枠アタッチメント５０には、見付け方向に沿って配置された見付け面部（屋内側見付け面）５１が設けられている。見付け面部５１の見付け方向の外側の端部には、アタッチメント係止部５２が設けられている。アタッチメント係止部５２に縦枠１３の縦枠係止部４１ａが係止されている。
【００３０】
見付け面部５１の見付け方向の内側の端部には、屋外側に向かうにしたがって次第に見付け方向の内側に向かう傾斜壁部（屋内側見付け面）５３が設けられている。傾斜壁部５３の見付け方向の内側の端部には、見付け方向に沿って延びる見付け壁部（屋内側見付け面）５４が設けられている。見付け壁部５４の見付け方向の内側の端部には、屋内側に折曲された折曲壁部５５が設けられている。
【００３１】
縦枠１３の屋外側面部４３、傾斜面部４２、見込み面部４１、縦枠アタッチメント５０の見付け面部５１、傾斜壁部５３及び見付け壁部５４により、水平断面視略コ字状に形成され、見付け方向の外側に向かって凹み、見付け方向の内側に向かって開口する凹溝５９が形成されている。
【００３２】
次に、受けユニット６について説明する。
図６は、受けユニット６の斜視図であり、（ａ）屋内側且つ下方から見た図であり、（ｂ）見付け方向の外側且つ上方から見た図である。図７は、受けユニット６の分解斜視図である。
図４、図６及び図７に示すように、受けユニット６は、ラッチ受け部材６０と、上障子固定金具７０と、アングル金具８０と、を有している。本実施形態では、ラッチ受け部材６０は樹脂で構成され、上障子固定金具７０及びアングル金具８０は、金属で構成されている。
ラッチ受け部材６０は、取付壁部（基部）６１と、ラッチ受け壁部（ラッチ受け部）６２と、側壁部６３と、支持体６４と、を有している。
【００３３】
取付壁部６１は、縦枠１３の見込み面部４１に沿って配置されている。取付壁部６１には、見付け方向に貫通する取付孔６１ｈ、貫通孔６１ｊ、取付孔６１ｋが上下方向に離間して形成されている。
【００３４】
ラッチ受け壁部６２は、取付壁部６１の屋外側の端部から見付け方向の内側に延びている。ラッチ受け壁部６２は、縦枠１３の屋外側面部４３及び傾斜面部４２と、縦枠アタッチメント５０の見付け面部５１、傾斜壁部５３及び見付け壁部５４との間に配置されている。ラッチ受け壁部６２の先端面６２ｆには、後述するラッチ部材１１０が当接可能とされている。側壁部６３は、ラッチ受け壁部６２の屋内側に対向して配置されている。
【００３５】
支持体６４は、ラッチ受け壁部６２と側壁部６３とを連結している。支持体６４は、見付け方向の外側の方の高さが見付け方向の内側の方の高さよりも高い、正面視三角形状をなしている。
【００３６】
支持体６４の上面には、水平面に沿って形成された上面部６４ａと、上面部６４ａの見付け方向の内側の端部から、見付け方向の内側に向かうにしたがって次第に下方に傾斜する傾斜端面部６４ｂと、が設けられている。
【００３７】
支持体６４の下部は、見付け方向の外側に向かうにしたがって次第に下方に傾斜する傾斜面部６４ｃが形成されている。
【００３８】
支持体６４と取付壁部６１との間には、上下方向に開口し、後述する上障子固定金具７０が挿通可能とされた挿通空間Ｓ１が形成されている。
【００３９】
上障子固定金具７０は、平板部７１と、上段板部７２と、傾斜板部７３と、下段板部（固定部）７４と、を有している。
【００４０】
平板部７１は、ラッチ受け部材６０の挿通空間Ｓ１に上方から挿入され、取付壁部６１の見付け方向の内側に面に沿って配置されている。
【００４１】
平板部７１には、ラッチ受け部材６０の取付孔６１ｈ、貫通孔６１ｊ、取付孔６１ｋに対応する位置に取付孔７１ｈ，７１ｊ，７１ｋが形成されている。図４に示すように、平板部７１の取付孔７１ｈ，７１ｋから挿通された螺子７１ｚは、ラッチ受け部材６０の取付孔６１ｈ，６１ｋに挿通され、縦枠１３の見込み面部４１に螺合されている。これにより、受けユニット６は、縦枠１３の見込み面部４１に固定されている。平板部７１には、取付孔７１ｊの上下に、それぞれ挿通孔７１ｍが形成されている。
【００４２】
図４、図６及び図７に示すように、上段板部７２は、ラッチ受け部材６０の支持体６４の上面部６４ａに載置されている。傾斜板部７３は、ラッチ受け部材６０の傾斜端面部６４ｂに沿って配置されている。
【００４３】
下段板部７４には、上下方向に貫通し見込み方向に長い長孔７４ｈが形成されている。
図８は、受けユニット６の取付構成を示す斜視図である。なお、図８において、下障子３の図示を省略している。
図８に示すように、下段板部７４の長孔７４ｈから挿通された螺子７４ｚは、上障子２の下端部に螺合されている。これにより、上障子２は、縦枠１３に固定された受けユニット６に支持されている。
【００４４】
図４、図６及び図７に示すように、アングル金具８０は、取付板部８１と、立ち上がり板部８２と、を有する。
【００４５】
取付板部８１は、上障子固定金具７０の平板部７１の見付け方向の内側の面に沿って配置されている。
【００４６】
取付板部８１には、見付け方向に貫通する取付孔８１ｈが形成されている。取付孔８１ｈに挿通された螺子８１ｚは、上障子固定金具７０の取付孔７１ｊに螺合されている。ラッチ受け部材６０の貫通孔６１ｊは、螺子８１ｚの先端側を避けるために形成されている。これにより、アングル金具８０は、上障子固定金具７０に固定され、受けユニット６がユニット化されている。
【００４７】
取付板部８１の上下端部には、見付け方向の外側に向かって延びる係止片８１ａが設けられている。係止片８１ａは、上障子固定金具７０の挿通孔７１ｍに係止されている。
【００４８】
立ち上がり板部８２は、取付板部８１の屋内側の端部から見付け方向の内側に向かって延びている。立ち上がり板部８２の先端部には、折り返され、曲面状に形成された先端曲面部（ロック受け部）８２ａが形成されている。
【００４９】
次に、下障子３に設けられたロック機構１０について説明する。
図１に示すように、ロック機構１０は、下障子３の下側上框３１の上面において、左右方向の両端部に設けられている。図４に示すように、ロック機構１０は、下障子３の下側上框３１の上面の左右方向の両端部に設けられ基体１０９と、基体１０９から延びるラッチ部材（ラッチ部）１１０と、摺動棒（ロック部）１１４と、操作部材１１６と、連結ピース１１７と、連結部材１１８と、を備えている。
【００５０】
ラッチ部材１１０は、基体１０９に設けられ、見付け方向に延びている。ラッチ部材１１０の先端部には、見込み方向に広がる形状をなす幅広部１１２が形成されている。
【００５１】
幅広部１１２には、見込み方向の両端部に形成された見込み方向に沿う外側端面１１２ａ、及びこれら外側端面１１２ａを接続し見付け方向の外側に膨らむ湾曲面１１２ｂが設けられている。
【００５２】
ラッチ部材１１０は、基体１０９に設けられた不図示の付勢部材により、見付け方向の外側（縦枠１３側）に向けて付勢されている。
【００５３】
摺動棒１１４は、棒状の部材であり、基体１０９に見付け方向に摺動可能に設けられている。摺動棒１１４は、ラッチ部材１１０の下方に配置されている。摺動棒１１４は、連結部材１１８及び連結ピース１１７を介して操作部材１１６に連結されている。操作部材１１６は、基体１０９に見付け方向に摺動可能に設けられている。
【００５４】
図４に示す施錠状態では、ラッチ部材１１０は不図示の付勢部材により見付け方向の外側に付勢され、下障子３より見付け方向の外側に突出している。ラッチ部材１１０の外側端面１１２ａのうち屋外側の外側端面１１２ａは、ラッチ受け部材６０のラッチ受け壁部６２の先端面６２ｆに当接している。また、ラッチ部材１１０の外側端面１１２ａのうち屋内側の外側端面１１２ａは、縦枠アタッチメント５０の折曲壁部５５に当接している。
【００５５】
ラッチ部材１１０の幅広部１１２の見込み方向の寸法は、縦枠１３の屋外側面部４３とラッチ受け壁部６２との見込み方向の離間寸法よりも小さい。また、ラッチ部材１１０の幅広部１１２の見込み方向の寸法は、ラッチ受け壁部６２と縦枠アタッチメント５０の見付け壁部５４との見込み方向の離間寸法よりも小さい。このため、ラッチ部材１１０が縦枠１３の凹溝５９内を見込み方向の外側に移動して、凹溝５９内に嵌り込むことはない。
【００５６】
また、施錠状態では、摺動棒１１４は、ラッチ部材１１０の幅広部１１２よりも見付け方向の外側に突出している。摺動棒１１４の先端部は、アングル金具８０の立ち上がり板部８２よりも屋外側に配置されるとともに、水平断面で立ち上がり板部８２と見込み方向に重なって配置されている。これにより、下障子３に屋内側への圧力が作用したり、下障子３の引手部３４を引いても、摺動棒１１４の先端部がアングル金具８０の立ち上がり板部８２に当接して、下障子３の屋内側への移動が規制される。
このようにして、下障子３は、移動することなく、施錠状態で維持されている。
【００５７】
この状態から、下障子３を開口させるには、図５に示すように、操作者が、操作部材１１６を見付け方向の内側に移動させる。これにより、操作部材１１６と連結部材１１８及び連結ピース１１７を介して連結された摺動棒１１４が見付け方向の内側に移動する。下障子３の下側上框３１に設けられた引手部３４を屋内側に引き、下障子３を引き上げると、ラッチ受け部材６０は、縦枠１３に設けられた不図示のガイド溝内を移動し、下障子３を上昇させることができる。
【００５８】
次に、枠体１に設けられた気密材について説明する。
図２に示すように、上枠１１の屋外側の壁部１１ａには、気密材１２１が設けられている。上障子２が閉じた状態で気密材１２１は上障子２の上側上框２１に当接している。下枠１２の屋外側の壁部１２ａには、気密材１２２が設けられている。下障子３が閉じた状態で気密材１２２は下障子３の下側下框３２に当接している。図３に示すように、縦枠１３の屋外側面部４３には、気密材１２３が設けられている。上障子２、下障子３が閉じた状態で気密材１２３は上障子２の上側縦框２３、下障子３の下側縦框３３に当接している。
【００５９】
このように構成された上げ下げ窓１００では、縦枠１３の凹溝５９を形成する縦枠１３の屋外側面部４３及び傾斜面部４２と縦枠アタッチメント５０の見付け面部５１、傾斜壁部５３及び見付け壁部５４との間には、ラッチ受け壁部６２が配置されている。このため、縦枠１３の屋外側面部４３及び傾斜面部４２と縦枠アタッチメント５０の見付け面部５１、傾斜壁部５３及び見付け壁部５４との間の見込み方向の隙間は、縦枠１３の屋外側面部４３及び傾斜面部４２とラッチ受け壁部６２とにより形成される見込み方向の隙間及びラッチ受け壁部６２と縦枠アタッチメント５０の見付け面部５１、傾斜壁部５３及び見付け壁部５４とにより形成される見込み方向の隙間に分割される。よって、縦枠１３の屋外側面部４３及び傾斜面部４２とラッチ受け壁部６２との見込み方向の離間寸法及びラッチ受け壁部６２と縦枠アタッチメント５０の見付け面部５１、傾斜壁部５３及び見付け壁部５４との見込み方向の離間寸法の方が、下障子３の縦枠１３側に向けて付勢されるラッチ部材１１０の見込み方向の寸法よりも、小さくすることができる。したがって、下障子３のラッチ部材１１０が縦枠１３の凹溝５９内に嵌り込むことが抑制される。
【００６０】
また、受けユニット６は縦枠１３の見込み面部４１に螺子固定される構成であるため、作業者は縦枠１３の見込み面部４１に沿って受けユニット６の取付壁部６１を配置して、見付け方向の内側（見込み面部４１と対向する方向）から螺子止めすることがでる。このため、見込み面部４１よりも屋内側に見込み面部４１から見付け方向の内側に突出する縦枠アタッチメント５０があっても、当該縦枠アタッチメント５０が邪魔になることなく、見込み面部４１に対して正面から螺子止めすることができるため、受けユニット６を容易に取り付けることができる。
【００６１】
また、受けユニット６は、上障子２に固定される下段板部７４を有している。つまり、受けユニット６は上障子２を固定する機能も有しているため、上障子２を固定するための部材を別途取り付ける必要がない。
【００６２】
また、受けユニット６は、下障子３に設けられ縦枠１３側に延びる摺動棒１１４よりも屋内側に配置されるとともに、水平断面で摺動棒１１４と見込み方向に重なった位置に配置される先端曲面部８２ａを有している。これにより、下障子３が屋内側に移動しようとしても、下障子３に設けられた摺動棒１１４が受けユニット６に設けられた先端曲面部８２ａに見込み方向に干渉するため、下障子３の屋内側への移動が規制される。つまり、受けユニット６は下障子３の屋内側への移動を規制する機能も有しているため、下障子３の屋内側への移動を規制する部材を別途取り付ける必要がない。
【００６３】
また、ラッチ受け部材６０は樹脂または金属で構成されていて、所望の形状に容易に形成することができる。上障子固定金具７０及びアングル金具８０は金属で構成されているため、強度を確保することができる。
【００６４】
なお、本発明に係る建具は、上述した実施形態に係る上げ下げ窓１００に限定されるものではなく、本発明の要旨を逸脱しない範囲で適宜の変更や置換等が可能である。
以下に、本発明の実施形態の変形例について説明するが、上述した実施形態で説明した部品や部材等と同一または同様なものについては、同一の符号を用いて説明する。
【００６５】
（変形例）
次に、本発明の一実施形態の変形例に係る建具について、主に図９から図１１に基づいて説明する。
図９は、本発明の一実施形態の変形例に係る上げ下げ窓の受け部材の斜視図であり、（ａ）屋内側且つ下方から見た図であり、（ｂ）見付け方向の外側且つ上方から見た図である。図１０は、本発明の一実施形態の変形例に係る上げ下げ窓の受け部材の分解斜視図である。図１１は、本発明の一実施形態の変形例において、図４に対応する図であり、施錠された状態を示す。
【００６６】
上記に示す実施形態では、受けユニット６の上障子固定金具７０はラッチ受け部材６０の上下方向に開口する挿通空間Ｓ１に上方から挿通されているが、本変形例では、受けユニット６Ｘの上障子固定金具７０Ｘには見付け方向に開口する挿通空間Ｓ２が形成され、ラッチ受け部材６０Ｘは挿通空間Ｓ２に見付け方向の外側から挿通されている。
【００６７】
ラッチ受け部材６０Ｘの支持体６４Ｘは、ラッチ受け壁部６２の上端部と側壁部６３の上端部とを連結する上面部６４ｄと、上面部６４ｄの下方に配置されラッチ受け壁部６２と側壁部６３とを連結する下壁部６４ｅと、を有している。上面部６４ｄと下壁部６４ｅとの間には、見付け方向に開口する挿通空間Ｓ２が形成されている。下壁部６４ｅには、見付け方向に貫通する取付孔６４ｈが形成されている。
【００６８】
ラッチ受け部材６０Ｘの見付け方向の外側では、ラッチ受け壁部６２の下端部と側壁部６３の下端部とは、連結壁部６６で連結されている。連結壁部６６には、見付け方向に貫通する取付孔６６ｈが形成されている。
【００６９】
上障子固定金具７０Ｘは、上面平板部９１と、第一取付板部９２と、上側折曲壁部９３と、第二取付板部９４と、下側折曲壁部９５と、第三取付板部９６と、を有している。
【００７０】
上面平板部９１は、ラッチ受け部材６０Ｘの挿通空間Ｓ２に挿通され、ラッチ受け部材６０Ｘの上面部６４ｄと下壁部６４ｅとの間に配置されている。上面平板部９１の先端部には、上下方向に貫通し見込み方向に長い長孔９１ｈが形成されている。上面平板部９１の長孔９１ｈから挿通された螺子７４ｚは、上障子２の下端部（図８参照）に螺合されている。
【００７１】
第一取付板部９２は、上面平板部９１の見付け方向の外側の端部から下方に向かって延びている。第一取付板部９２には、ラッチ受け部材６０Ｘの取付孔６４ｈと対応する位置に、見付け方向に貫通する取付孔９２ｈが形成されている。
【００７２】
上側折曲壁部９３は、第一取付板部９２の下端部から見付け方向の内側に折曲されている。
【００７３】
第二取付板部９４は、上側折曲壁部９３の見付け方向の内側の端部から下方に延びている。第二取付板部９４には、見付け方向に貫通する取付孔９４ｈが形成されている。
【００７４】
下側折曲壁部９５は、第二取付板部９４の下端部から見付け方向の外側に折曲されている。
【００７５】
第三取付板部９６は、下側折曲壁部９５の見付け方向の外側の端部から下方に延びている。第三取付板部９６には、ラッチ受け部材６０Ｘの取付孔６６ｈと対応する位置に、見付け方向に貫通する取付孔９６ｈが形成されている。
【００７６】
アングル金具８０の取付孔８１ｈに挿通された螺子８１ｚは、上障子固定金具７０Ｘの第二取付板部９４に形成された取付孔９４ｈに螺合されている。これにより、アングル金具８０は、上障子固定金具７０Ｘに固定されている。
【００７７】
ラッチ受け部材６０Ｘの上下の取付孔６４ｈ，６６ｈから挿通された螺子７１ｚは、上障子固定金具７０Ｘの取付孔９２ｈ，９６ｈに挿通され、縦枠１３の見込み面部４１に螺合されている。
【００７８】
なお、上述した実施の形態において示した各構成部材の諸形状や組み合わせ等は一例であって、本発明の主旨から逸脱しない範囲において設計要求等に基づき種々変更可能である。
【００７９】
例えば、ラッチ受け部材６０と、上障子固定金具７０と、アングル金具８０と、を有した受けユニット６で構成されているが、本発明はこれに限られない。屋外側見付け面と屋内側見付け面との間に配置されるとともに、ラッチ部の見付け方向の移動を規制するラッチ受け部を少なく有していればよい。
【符号の説明】
【００８０】
１…枠体
２…上障子
３…下障子
６…受けユニット（受け部材）
１０…ロック機構
１１…上枠
１２…下枠
１３…縦枠
２０…上側框体
２１…上側上框
２２…上側下框
２３…上側縦框
３１…下側上框
３２…下側下框
３３…下側縦框
３４…引手部
４１…見込み面部（見込み面）
４１ａ…縦枠係止部
４２…傾斜面部（屋外側見付け面）
４３…屋外側面部（屋外側見付け面）
５０…縦枠アタッチメント
５１…見付け面部（屋内側見付け面）
５３…傾斜壁部（屋内側見付け面）
５４…見付け壁部（屋内側見付け面）
５５…折曲壁部
５９…凹溝
６０…ラッチ受け部材
６１…取付壁部（基部）
６２…ラッチ受け壁部（ラッチ受け部）
６２ｆ…先端面
６３…側壁部
６４…支持体
６４ａ…上面部
６４ｂ…傾斜端面部
６４ｃ…傾斜面部
７０…上障子固定金具
７１…平板部
７２…上段板部
７３…傾斜板部
７４…下段板部（固定部）
８０…アングル金具
８１…取付板部
８１ａ…係止片
８２…立ち上がり板部
８２ａ…先端曲面部（ロック受け部）
１００…上げ下げ窓
１１０…ラッチ部材（ラッチ部）
１１１…支持部
１１２…幅広部
１１２ａ…外側端面
１１２ｂ…湾曲面
１１４…摺動棒（ロック部）
１１６…操作部材
１１８…連結部材
Ｓ１…挿通空間
【図１】
2018119344.tif 000003
【図２】
2018119344.tif 000004
【図３】
2018119344.tif 000005
【図４】
2018119344.tif 000006
【図５】
2018119344.tif 000007
【図６】
2018119344.tif 000008
【図７】
2018119344.tif 000009
【図８】
2018119344.tif 000010
【図９】
2018119344.tif 000011
【図１０】
2018119344.tif 000012
【図１１】
2018119344.tif 000013